(57)【特許請求の範囲】
【請求項１】
プラスチックから加工品を自動成形する射出成形機に搭載されるように構成される射出成形金型であって、
前記射出成形金型は、前記射出成形機から液体プラスチックを射出するための入口が配置される入口金型部分と、閉鎖金型部分と、前記入口金型部分と前記閉鎖金型部分との間に配置される少なくとも１つの中間金型部分とを含む、少なくとも３つの別個の金型部分を備え、
前記金型部分の対は、金型分離面によって分離されるとともに、前記金型分離面に対して略直角の直線に沿って互いに対して変位することが可能であるように構成され、
前記金型部分は、前記金型分離面が互いに当接する前記射出成形金型の閉状態では、複数の金型キャビティを形成し、また、前記金型分離面が互いから引き離される前記射出成形金型の開状態では、前記金型キャビティからの成形された任意の加工品の取出しにより、前記金型キャビティ内で成形された加工品の取出しを可能にし、
それにより、前記金型キャビティは、前記閉鎖金型部分と前記中間金型部分との間の空間に開かれ、それにより分配チャネルに対応する成形分配要素は、前記入口金型部分と前記中間金型部分との間の空間に開かれ、
前記入口金型部分と前記中間金型部分との間には、前記中間金型部分が前記入口金型部分から離れるように変位することができる距離を制限するために構成される末端停止部を有する距離制限装置が構成され、
前記入口金型部分と前記中間金型部分との間にショックアブソーバーが更に配置され、前記ショックアブソーバーは、前記入口金型部分と前記中間金型部分とが互いから離れるように移動される場合に、前記末端停止部に衝突する前に、前記入口金型部分と前記中間金型部分との間の変位運動を緩和するように構成されることを特徴とする、射出成形金型。
【請求項２】
前記ショックアブソーバーは、前記距離制限装置に一体的に組み込まれることを特徴とする、請求項１に記載の射出成形金型。
【請求項３】
前記距離制限装置は、外側パイプと、前記外側パイプの内部で入れ子式に変位可能に配置されるロッドとを備えることを特徴とする、請求項２に記載の射出成形金型。
【請求項４】
前記ショックアブソーバーは、前記外側パイプの内部に配置されることを特徴とする、請求項３に記載の射出成形金型。
【請求項５】
前記閉鎖金型部分と前記中間金型部分との間にショックアブソーバーが更に配置され、前記ショックアブソーバーは、前記閉鎖金型部分と前記中間金型部分とが互いに向かって移動される場合、前記射出成形金型が閉じるほんの直前に、前記閉鎖金型部分と前記中間金型部分との間の変位運動を緩和するように構成されることを特徴とする、請求項１〜４のいずれか１項に記載の射出成形金型。
【発明の詳細な説明】
【技術分野】
【０００１】
本発明は、プラスチックから加工品を自動成形する射出成形機に搭載されるように構成される射出成形金型に関する。本射出成形金型は、射出成形機から液体プラスチックを射出するための入口が配置される入口金型部分と、閉鎖金型部分と、入口金型部分と閉鎖金型部分との間に配置される少なくとも１つの中間金型部分とを含む、少なくとも３つの別個の金型部分を備える。金型部分の対は、金型分離面によって分離されるとともに、金型分離面に対して略直角の直線に沿って互いに対して変位することが可能であるように構成される。金型部分は、金型分離面が互いに当接する射出成形金型の閉状態では、複数の金型キャビティを形成し、金型分離面が互いから引き離される射出成形金型の開状態では、金型キャビティ内で成形された加工品の取出しを可能にする。入口金型部分と中間金型部分との間には、中間金型プレートが入口金型部分から離れるように変位することができる距離を制限するために構成される末端停止部を有する距離制限装置が構成される。
【背景技術】
【０００２】
そのような射出成形金型は、例えば特許文献１から既知である。
【先行技術文献】
【特許文献】
【０００３】
【特許文献１】独国特許出願公開第３７１６７９６号
【発明の概要】
【発明が解決しようとする課題】
【０００４】
本発明の目的は、各成形プロセス間の射出成形プロセスのサイクル時間の低減が可能になる、上述したような種類の射出成形金型を提供することである。
【課題を解決するための手段】
【０００５】
これは、請求項１に記載の本発明によって達成される。したがって、入口金型部分から離れるような中間金型部分の変位運動を、距離制限装置の末端停止部に衝突する直前にショックアブソーバー（Ｓｈｏｃｋ  Ａｂｓｏｒｂｅｒ）が緩和することが達成される。それにより、上記２つの金型部分に摩耗及び騒音の増大を引き起こすような大きい衝撃力を与えることなく、射出成形金型をより迅速に開くことができることを可能にする。
【０００６】
好ましい一実施形態によれば、ショックアブソーバーは、距離制限装置と相互接続され、それにより、射出成形金型に一体ユニットとして組付け及び搭載することができる。
【０００７】
これに関して、単純な一実施形態に係る距離制限装置は、外側パイプと、外側パイプの内部で入れ子式に変位可能に配置されるロッドとを備えてもよい。
【０００８】
さらに、ショックアブソーバーは、外側パイプの内部で保護されるように好都合に配置してもよい。
【０００９】
更に好ましい一実施形態によれば、射出成形金型は、閉鎖金型部分と中間金型部分との間に配置されるショックアブソーバーを更に備える。このショックアブソーバーは、閉鎖金型部分と中間金型部分とが互いに向かって移動される場合、射出成形金型が閉じるほんの直前に、閉鎖金型部分と中間金型部分との間の変位運動を緩和するように構成される。それにより、製造サイクル時間の更なる低減が達成され、摩耗又は騒音の増大を伴うことなく、金型部分を閉じることができる速度を増大させることが可能になる。
【図面の簡単な説明】
【００１０】
【図１】本発明に係る、ショックアブソーバーを含む距離制限装置を備える組み立てられた射出成形金型の一部を示す断面図である。
【図２】図１に示すショックアブソーバーを含む距離制限装置の構成部品を示す分解図である。
【発明を実施するための形態】
【００１１】
このように、図１は、本質的に固定される入口金型部分１と、中間金型部分２と、閉鎖金型部分３とを備える、本発明に係る射出成形金型の一部の断面図を示している。この図では、上記３つの金型部分は互いから離れるように変位されており、そのため、射出成形金型は、金型キャビティから成形された任意の加工品（図示せず）が取り出されるように開かれている。したがって、金型キャビティは、閉鎖金型部分３と、中間金型部分２との間の空間に開かれる。これにより、図示されていない分配チャネルに対応する成形分配要素は、入口金型部分１と中間金型部分２との間の空間に開かれる。
【００１２】
さらに、図１では、中間金型部分２は、入口金型部分１から最も遠い中間金型部分２の位置に示されている。ここで、中間金型部分２は、そこで中間金型部分２が変位できる距離制限装置１９の、外側パイプ５の一方の端部にある末端停止部１２と当接している。
【００１３】
図２から明らかであるように、距離制限装置１９は、上述したように、一方の端部では末端停止部１２を有するとともに、他方の端部ではカラー１３において入口金型部分１に取り付けられる、外側パイプ５を備える。外側パイプ５の内部にはロッド４が変位可能に配置される。ロッド４の一方の端部には、中間金型部分２が末端停止部１２に当接する場合に、ピストン１６がショックアブソーバーハウジングに押し込まれるように（この位置では当接ピン７がピストン１６に当接する）、また、中間金型部分２が図示の位置から入口金型部分１に向かう方向に変位する場合に、ピストン１６がショックアブソーバーハウジングから出るように変位できるように、ショックアブソーバー６が装着される。ショックアブソーバー６内には、図示されていないばねが配置され、ショックアブソーバー６の無負荷位置においてピストン１６がショックアブソーバーハウジングから出るように変位することを確実にする。
【００１４】
当接ピン７は、外側パイプ５にしっかりと取り付けられるが、ロッド４にあるスロット１８内で変位することができ、それにより、ロッド４は、スロット１８の長さに対応する距離だけ変位することができる。
【００１５】
閉鎖金型部分３上には、駆動ヘッド２０を備える駆動装置１０が構成され、図示の位置では中間金型部分２を解放している。駆動装置１０及び駆動ヘッド２０は、射出成形金型が閉じられている場合（すなわち、入口金型部分１と中間金型部分２との間及び閉鎖金型部分３と中間金型部分２との間に空間がない場合）に、閉鎖金型部分３がばね荷重によってその位置から中間金型部分２に対して引き離されるとき、その開始時に駆動装置１０が押し下げられるように構成される。そのため、これと同時に駆動装置１０のピン９がランプ８に当たるまで駆動ヘッド２０が中間金型部分２に押し付けられる。これにより、駆動ヘッド２０が中間金型部分２から離れるように持ち上げられて、図示の位置において、中間金型部分２が末端停止部１２に到達する直前で中間金型部分２を解放する。
【００１６】
このように、入口金型部分１と中間金型部分２とが互いから離れるように変位される際の最後の距離にわたって、ショックアブソーバー６が入口金型部分１と中間金型部分２との間の運動を緩和する。これにより、他の条件が同じであれば、射出成形金型を開く場合に増大した速度を用いることと、各成形プロセスのサイクル時間の減少をもたらすこととが可能になる。
【００１７】
さらに、射出成形金型は、閉鎖金型部分３に構成されるとともに、閉鎖金型部分３と中間金型部分２とが互いに押し付け合う場合に閉鎖金型部分３と中間金型部分２との間の運動を緩和する、更なるショックアブソーバー１１を備える。
【００１８】
これにより、射出成形金型を閉鎖する際の騒音及び摩耗がかなり低減され、増大した型閉速度で動作することが可能になる。
【図１】
0006698554.tif 000002
【図２】
0006698554.tif 000003